(57)【要約】【課題】メモリカード等に電子ペーパーを備えて内部状態を表示する場合、電子ペーパー表示を更新する手段を持たないホスト機器がメモリカードの内部状態を変更すると、電子ペーパーの表示内容がメモリカードの内部状態と一致しなくなる課題がある。【解決手段】ホスト機器に着脱可能なメモリカード１００であって、データのライトまたはイレーズが可能なメモリ手段１４０と、メモリ手段１４０の内部状態に関する情報を表示する電子ペーパー手段１６０と、ホスト機器からのライトまたはイレーズの命令に応じて、電子ペーパー手段１６０の表示を無効化する表示制御手段１５０と、を備えることで、誤った情報表示を防止する。また、ライトやイレーズ後に正しい情報を再計算し、電子ペーバー手段１６０への表示を指示するホスト機器と組み合わせることで、正しい情報が表示される。【選択図】図１
2011145738.tif 000002
【特許請求の範囲】
【請求項１】
ホスト機器に着脱可能な情報記録媒体であって、
データのライトまたはイレーズが可能なメモリ素子と、
前記メモリ素子の内部状態に関する情報を表示する情報表示手段と、
前記ホスト機器からのライトまたはイレーズの命令に応じて、前記情報表示手段の表示を無効化する表示制御手段と、
を備える情報記録媒体。
【請求項２】
前記メモリ素子の内部状態に関する情報は、前記情報記録媒体の空き容量、前記情報記録媒体のデータを最後に更新した最終更新日時、または、前記情報記録媒体に最後に記録された映像または音声のタイムコード、のいずれかを表す
請求項１に記載の情報記録媒体。
【請求項３】
請求項１に記載の情報記録媒体が装着される情報記録装置であって、
前記情報記録媒体にファイルを作成または削除するためのファイルシステムと、
前記情報記録媒体にファイルを作成または削除した後に、前記情報記録媒体の空き容量を計算し、前記空き容量の情報を前記情報記録媒体の情報表示手段に表示させる指令を発行する制御手段と、
を備える情報記録装置。
【請求項４】
請求項１に記載の情報記録媒体が装着される情報記録装置であって、
前記情報記録媒体に映像や音声をタイムコードと供に記録する記録手段と、
前記情報記録媒体に映像や音声を記録した後に、最後に記録した映像または音声のタイムコードを計算し、前記タイムコードの情報を前記情報記録媒体の情報表示手段に表示させる指令を発行する制御手段と、
を備える情報記録装置。
【請求項５】
請求項１に記載の情報記録媒体が装着される情報記録装置であって、
前記情報記録媒体のファイルシステム管理情報を初期化する初期化手段と、
前記情報記録装置は、前記情報記録媒体のファイルシステム管理情報を初期化した後に、フォーマット済みの未記録状態であることを示す情報を前記情報記録媒体の情報表示手段に表示させる指令を発行する制御手段と、
を備える情報記録装置。
【発明の詳細な説明】
【技術分野】
【０００１】
本発明は、内部状態の表示手段を備えたリムーバブルな情報記録媒体、および、情報記録媒体が装着される情報記録装置に関する。
【背景技術】
【０００２】
テープ媒体、ディスク媒体、不揮発メモリ媒体など、リムーバブルな記録媒体の内部状態を可視化するため、記録媒体の表面に表示手段を設けた記録媒体の例が知られている（特許文献１など）。
【０００３】
表示手段には電子ペーパーを用いることで、表示内容を電気的に何度も書換え可能とし、さらに記録媒体の内部に電池等の電源を必要とせずに情報表示を維持できる。電子ペーパーについては特許文献２などの例が知られている。
【０００４】
電子ペーパーによる表示手段を備えた記録媒体は、専用の記録再生装置やパソコンなどのホスト機器に記録媒体を装着しなくとも、記録媒体表面の電子ペーパーを用いて、記録媒体の空き容量や記録日時など種々の情報を確認できる利点がある。
【先行技術文献】
【特許文献】
【０００５】
【特許文献１】特開２００２−２４５７４７号公報
【特許文献２】特開平１１−３１６３９７号公報
【発明の概要】
【発明が解決しようとする課題】
【０００６】
ここで電子ペーパーの表示内容を更新する方法について、一般的に考えられる２つの方法について説明する。具体例として、メモリカードに映像を記録する用途で、メモリカードの表面には電子ペーパーでメモリカードの空き容量が表示されるものとする。
【０００７】
電子ペーパーの表示内容を更新する１番目の方法は、メモリカード自身が電子ペーパーに表示すべき内容を算出して表示する方法である。この方法ではメモリカードの空き容量を算出する手段がメモリカードの内部に必要となる。例えば、メモリカードの内部に小型のマイコンを備え、メモリカードに記録されたファイルシステムの管理情報をマイコンが解釈して空き容量を計算し、この結果を電子ペーパーに表示する、などの方法が考えられる。
【０００８】
１番目の方法の利点は、メモリカードが装着されるホスト機器側に電子ペーパーの表示情報を生成する手段が不要となる点である。例えば、メモリカードが装着されるホスト機器としては、映像をメモリカードに記録する専用の記録再生装置の具体例として、カメラやレコーダなどの機材が想定されるが、その他に、一般のパソコンにメモリカードが装着されることも考えられる。
【０００９】
一般のパソコンでメモリカード内のファイルを削除した場合でも、１番目の方法であれば、メモリカードの内部でファイルの削除に伴って空き容量が再計算され、ファイル削除後の新しい空き容量が電子ペーパーに表示される。ホスト機器は、メモリカードが電子ペーパーなどの表示手段を備えているか否かに関係なく、単純にファイルの削除だけを行えば、電子ペーパーの表示内容は新たな情報に更新される。
【００１０】
しかし１番目の方法は、メモリカードの内部で電子ペーパーの表示情報を生成する手段が必要となる。例えば、前述の空き容量表示にはマイコン等の演算手段が必要である。さらに、最終記録日時などの情報を電子ペーパーに表示する場合は、メモリカードの内部に時計やカレンダー等の手段が必要となる。これらの手段を追加することは、メモリカードのコストアップ要因となり好ましくない。
【００１１】
電子ペーパーの表示内容を更新する２番目の方法は、ホスト機器側が電子ペーパーに表示する情報を生成し、この情報を記録媒体に伝達して電子ペーパーの表示を更新させる方法である。
【００１２】
２番目の方法では、メモリカードが装着されたパソコンなどのホスト機器側がファイル削除後の空き容量を計算し、その計算結果を記録媒体に伝達して電子ペーパーの表示内容を更新させる。
【００１３】
ホスト機器側では一般にメモリカード上のファイルを管理するためのファイルシステムを備えており、ファイル削除後の空き容量を計算することは容易である。従って、この計算結果をメモリカードに伝達し、電子ペーパーに表示させる指示手段があれば、メモリカードの電子ペーパーにファイル削除後の空き容量を表示させることができる。
【００１４】
また、ホスト機器は時計やカレンダー機能を有している場合が多く、最終更新日時などの情報をメモリカードに伝達して表示させることも容易である。
【００１５】
２番目の方法は、ホスト機器から伝達された情報を電子ペーパーに表示さえすれば良く、１番目の方法と比較してメモリカード側の構成がシンプルになる利点がある。
【００１６】
しかしながら、メモリカードが装着可能なホスト機器の種類は、カメラやレコーダなど専用の記録再生装置だけでなく、一般のパソコンなどもホスト機器に含まれる。一般のパソコンは特定のメモリカードに対して電子ペーパーの表示を更新する指示手段が備えてあるとは限らない。このようなパソコンでメモリカード内のファイルを削除しても、メモリカード側の電子ペーパーに表示された空き容量の値は変化せず、ファイル削除前の古い情報がユーザに表示され続けることになる。
【００１７】
空き容量の例に限らず、メモリカードの電子ペーパーに種々の情報を表示する場合、電子ペーパー表示を更新する手段を持たないホスト機器が、メモリカードの内部状態を変更すると、電子ペーパーの表示内容がメモリカードの内部状態と一致しなくなる課題がある。
【００１８】
本発明ではこの課題に鑑み、リムーバブル記録媒体の電子ペーパー表示を更新させる手段を持たないホスト機器が、リムーバブル記録媒体の内部状態を変更すると、電子ペーパー表示がリムーバブル記録媒体の内部状態と一致しなくなる課題を防止する。
【課題を解決するための手段】
【００１９】
本発明の情報記録媒体は、ホスト機器に着脱可能な情報記録媒体であって、データのライトまたはイレーズが可能なメモリ素子と、前記メモリ素子の内部状態に関する情報を表示する情報表示手段と、前記ホスト機器からのライトまたはイレーズの命令に応じて、前記情報表示手段の表示を無効化する表示制御手段と、を備える。
【発明の効果】
【００２０】
本発明によれば、リムーバブル記録媒体の電子ペーパー表示を更新させる手段を持たないホスト機器が、リムーバブル記録媒体の内部状態を変更すると、電子ペーパー表示がリムーバブル記録媒体の内部状態と一致しなくなる課題を防止する効果が得られる。
【図面の簡単な説明】
【００２１】
【図１】実施の形態１における情報記録媒体の構成を表すブロック図
【図２】実施の形態２における情報記録装置の構成を表すブロック図
【図３】実施の形態３における情報記録装置の構成を表すブロック図
【図４】実施の形態３における情報記録媒体の電子ペーパー手段でタイムコードを表示させた例を表す図
【発明を実施するための形態】
【００２２】
以下、実施の形態について、図面を用いて説明する。
【００２３】
（実施の形態１）
図１は実施の形態１における情報記録媒体の構成を表すブロック図である。図１において、メモリカード１００は、インタフェース手段１１０と、コマンド解釈手段１２０と、メモリ制御手段１３０と、メモリ手段１４０と、表示制御手段１５０と、電子ペーパー手段１６０を含む。
【００２４】
以上のように構成された実施の形態１における情報記録媒体について、その動作を説明する。メモリカード１００がホスト機器に装着されると、インタフェース手段１１０を介して、ホスト機器からメモリカード１００へコマンドが伝達される。
【００２５】
ホスト機器から伝達されるコマンドがリード、ライト、イレーズなどメモリ手段１４０に対するコマンドの場合、コマンド解釈手段１２０は、メモリ制御手段１３０にコマンドを伝達する。メモリ制御手段１３０は、コマンドの内容に応じてメモリ手段１４０に対してリード、ライト、イレーズなどを実行する。
【００２６】
ホスト機器から伝達されるコマンドが、電子ペーパー手段１６０に情報を表示させるコマンドの場合、コマンド解釈手段１２０は、表示制御手段１５０へコマンドを伝達する。表示制御手段１５０は、コマンドの内容に応じて電子ペーパー手段１６０に情報を表示させる。
【００２７】
ここで、実施の形態１における情報記録媒体は、ホスト機器から伝達されるコマンドがライトやイレーズなど、メモリ手段１４０の内部状態を変化させるコマンドの場合、自発的に電子ペーパー手段１６０の表示を無効化する特徴を有する。
【００２８】
以下、この特徴的な機能について説明する。今、メモリカード１００には、専用のホスト機器、例えばカメラやレコーダなどの機器で、複数の映像素材がファイルとして記録済みの状態であるとする。メモリカード１００の電子ペーパー手段１６０には、メモリ手段１４０の内部状態に関する情報が表示されている。
【００２９】
表示される情報としては、例えば、メモリ手段１４０の空き容量、記録可能な空き時間、記録済みの容量、記録済みの時間、これまでの書換え回数、残りの書換え可能な回数、最終記録日時、収録された映像素材の数、最後に収録された映像や音声のタイムコード、など種々の情報が想定される。これらの情報のうち、電子ペーパー手段１６０には複数の種類の情報が表示されても良いし、いずれかの１つの情報だけを取り扱うように設計しても良い。
【００３０】
次に、メモリカード１００が、カメラやレコーダなど専用のホスト機器から外され、一般のパソコンに装着されたとする。カメラやレコーダなど専用のホスト機器だけでなく、一般のパソコンでも、ユーザはメモリカード１００に収録された映像ファイルを閲覧したり削除したりできる。
【００３１】
ここで、ユーザが映像ファイルを削除する操作を行なうと、メモリカード１００にはパソコンからインタフェース手段１１０を介して、ライトやイレーズなどのコマンドが伝達される。これらのコマンドはコマンド解釈手段１２０で解釈され、メモリ制御手段１３０へ伝達される。メモリ制御手段１３０は伝達されたコマンドに従って、メモリ手段１４０をライトやイレーズする。
【００３２】
さらにコマンド解釈手段１２０は、ホスト機器から伝達されたコマンドが、ライトやイレーズなど、メモリ手段１４０の内部状態を変化させるコマンドの場合、コマンド解釈手段１２０が自ら表示制御手段１５０に特別なコマンドを発行する。その特別なコマンドは、電子ペーパー手段１６０の表示を無効化させる指示であり、特別なコマンドを受理した表示制御手段１５０は、電子ペーパー手段１６０にそれまで表示されていた情報を無効な表示に変更する。
【００３３】
一方で、ホスト機器から伝達されたコマンドが、リードやステータス取得など、メモリ手段１４０の内部状態を変化させないコマンドの場合、コマンド解釈手段１２０は特別なコマンドを表示制御手段１５０に発行せず、電子ペーパー手段１６０の表示は維持される。
【００３４】
この機能によって、電子ペーパー手段１６０の表示は次のように変化する。例えばメモリカード１００の空き容量が電子ペーパー手段１６０に表示されているとする。ユーザがパソコンでメモリカード１００の映像ファイルを閲覧し、その後、メモリカード１００をパソコンから取り外しても、メモリカード１００の空き容量表示は何も変化せず、電子ペーパー手段１６０には正しい空き容量が表示されている。
【００３５】
次に、ユーザがパソコンでメモリカード１００の映像ファイルを削除すると、前述のライトまたはイレーズなどのコマンドがパソコンからメモリカード１００へ伝達されるため、電子ペーパー手段１６０の空き容量表示は無効な表示に変化する。
【００３６】
ユーザは、メモリカード１００をパソコンから取り外し、電子ペーパー手段１６０の表示を見ると、表示内容が無効化されていることがわかる。ユーザには、メモリカード１００の内部状態と電子ペーパー手段１６０の表示内容が一致していないことが認識され、これによって、誤った空き容量、例えばファイル削除前の空き容量がユーザに表示される状態を防止できる。
【００３７】
（実施の形態２）
次に、実施の形態２について説明する。前述の実施の形態１で情報記録媒体が自らの電子ペーパー表示を無効化することで、ユーザに誤った情報が表示される状態が防止された。実施の形態２では、さらに情報記録媒体の電子ペーパー表示を正しい情報に更新する方法について説明する。
【００３８】
図２は実施の形態２における情報記録装置の構成を表すブロック図である。図２において、ホスト機器２００は、ＣＰＵ手段２１０と、バス手段２２０と、メディアインタフェース手段２３０と、ＡＶ信号処理手段２５０と、ＡＶ信号入出力手段２６０を含む。ホスト機器２００にメモリカード２７０が装着される。
【００３９】
以上のように構成された実施の形態２における情報記録装置について、その動作を説明する。メディアインタフェース手段２３０には、実施の形態１で説明したメモリカード等の情報記録媒体が接続され、メモリカード２７０として表されている。
【００４０】
ＡＶ信号入出力手段２６０には撮像素子やレンズ、マイクロフォンなど、映像や音声を入力するための手段や、モニタやスピーカーなど、映像や音声を出力するための手段が設けられている。ＡＶ信号処理手段２５０は、映像や音声に関する信号処理を行い、エンコーダやデコーダなどの機能も含まれている。
【００４１】
ＣＰＵ手段２１０は一般的な演算プロセッサ、メインメモリ、および、ＣＰＵ手段を動作させるためのプログラムを格納する記憶領域などを含んでいる。ＣＰＵ手段２１０には所望のデータを記録媒体にファイルとして記録するためのファイルシステムが搭載されている。
【００４２】
映像や音声をメモリカードに記録する場合、ＡＶ信号入出力手段２６０から入力された映像や音声は、ＡＶ信号処理手段２５０で信号処理され、圧縮されたディジタルのＡＶデータとなる。これらのＡＶデータはバス手段２２０を介して、ＣＰＵ手段２１０によってファイルとしてメモリカード２７０に記録される。
【００４３】
ファイル記録後、ＣＰＵ手段２１０はファイルシステムでメモリカードの空き容量を再計算し、空き容量を電子ペーパーに表示させるコマンドをメモリカード２７０に発行する。
【００４４】
メモリカード２７０は映像や音声が記録された際に、ライトのコマンドが伝達されたことで、電子ペーパー表示が無効な表示になっている。しかし、映像や音声の記録後に、ホスト機器２００のＣＰＵ手段２１０が、新たな空き容量をコマンドで伝達したことで、ＡＶデータ記録後の新たな空き容量が電子ペーパーに表示される。この状態で、ホスト機器２００からメモリカード２７０を取り外すと、電子ペーパーにはＡＶデータ記録後の正しい空き容量が表示されている。
【００４５】
次に、メモリカード２７０に記録された映像や音声のファイルを削除した場合について説明する。ユーザがホスト機器２００を操作して、メモリカード２７０の映像や音声のファイルを削除すると、ＣＰＵ手段２１０はファイルシステムの管理情報を更新するために、メモリカード２７０に対してライトまたはイレーズなどのコマンドを発行する。
【００４６】
これによって、メモリカード２７０の電子ペーパー表示は、一時的に無効な表示になる。しかし、ＣＰＵ手段２１０はファイル削除後の空き容量をファイルシステムで再計算し、この計算結果を電子ペーパーに表示させるコマンドでメモリカード２７０へ伝達する。メモリカード２７０は、送られてきた新たな空き容量の値を電子ペーパーに表示する。
【００４７】
この状態で、ホスト機器２００からメモリカード２７０を取り外すと、電子ペーパーにはファイル削除後の正しい空き容量が表示されており、ユーザに正しい情報が提供される。
【００４８】
以上のように、実施の形態２では、電子ペーパー表示が無効化されたメモリカードに対して、ホスト機器が正しい情報表示に更新する。
【００４９】
（実施の形態３）
次に、実施の形態３について説明する。前述の実施の形態１と実施の形態２ではメモリカードの電子ペーパー手段に空き容量を表示する事例で説明したが、実施の形態３では映像や音声の記録用途に便利なタイムコードを表示する方法について説明する。
【００５０】
図３は実施の形態３における情報記録装置の構成を表すブロック図である。図３において、ホスト機器３００は、ＣＰＵ手段３１０と、バス手段３２０と、メディアインタフェース手段３３０と、タイムコード生成手段３４０と、ＡＶ信号処理手段３５０と、ＡＶ信号入出力手段３６０を含む。ホスト機器３００にメモリカード３７０が装着される。
【００５１】
以上のように構成された実施の形態３の情報記録装置について、その動作を説明する。タイムコード生成手段３４０は映像や音声のタイムコードを生成する。
【００５２】
タイムコードの例としては、米国のＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）が定めた、ＳＭＰＴＥタイムコードなどがあり、映像や音声の位置を時：分：秒：フレームからなる４つの数値で表わす。
【００５３】
図４は実施の形態３の情報記録媒体であるメモリカード３７０の電子ペーパー手段でタイムコードを表示させた例を表した図である。図４（ａ）から（ｄ）までは、それぞれがメモリカードを表しており、各メモリカードには、タイムコードが電子ペーパーで表示されている。
【００５４】
図４（ａ）はタイムコードの値が、時：分：秒：フレーム＝００時：００分：００秒：００フレームを表している。図４（ｂ）はタイムコードの時：分：秒：フレームの値が、無効な表示になっている。図４（ｃ）はタイムコードの値が、時：分：秒：フレーム＝１２時：３４分：５６秒：２０フレームを表しており、さらに反転表示になっている。図４（ｄ）はタイムコードの値が、時：分：秒：フレーム＝００時３４分５６秒２０フレームを表している。
【００５５】
タイムコードは収録された映像や音声に対して、任意の位置を指し示す情報であり、映像や音声のアドレスに相当する。最後に記録された映像や音声のタイムコードが、メモリカード等の記録媒体の電子ペーパーに表示されていれば、メモリカード内の映像や音声を再生しなくても、収録済みの位置が特定できるため有益である。
【００５６】
図３において、メディアインタフェース手段３３０には、実施の形態１で説明したメモリカード等の情報記録媒体が接続され、メモリカード３７０として表されている。ただし、メモリカード３７０の電子ペーパー手段には、タイムコードが表示される。
【００５７】
映像や音声がメモリカードに記録される処理について説明する。図３において、ＡＶ信号入出力手段３６０には撮像素子やレンズ、マイクロフォンなど、映像や音声を入力するための手段や、モニタやスピーカーなど、映像や音声を出力するための手段が設けられている。ＡＶ信号処理手段３５０は、映像や音声に関する信号処理を行い、エンコーダやデコーダなどの機能も含まれている。
【００５８】
ＣＰＵ手段３１０は一般的な演算プロセッサ、メインメモリ、および、ＣＰＵ手段を動作させるためのプログラムを格納する記憶領域などを含んでいる。ＣＰＵ手段３１０には所望のデータを記録媒体にファイルとして記録するためのファイルシステムが搭載されている。
【００５９】
映像や音声をメモリカードに記録する場合、ＡＶ信号入出力手段３６０から入力された映像や音声は、ＡＶ信号処理手段３５０で信号処理され、圧縮されたディジタルのＡＶデータとなる。このとき、タイムコード生成手段３４０で生成されるタイムコード情報は、ＡＶ信号処理手段３５０、または、ＣＰＵ手段３１０に伝達され、ＡＶデータにタイムコード情報が付加される。
【００６０】
これらのＡＶデータはバス手段３２０を介して、ＣＰＵ手段３１０によってファイルとしてメモリカード３７０に記録される。記録終了時にＣＰＵ手段３１０は、最後に記録された映像や音声の最終フレームのタイムコードを、タイムコード生成手段３４０やＡＶ信号処理手段３５０から取得する。ＣＰＵ手段３１０は、タイムコードの値を電子ペーパーに表示させるため、電子ペーパーに情報を表示させるコマンドと供にタイムコードの値をメモリカード３７０に伝達する。
【００６１】
メモリカード３７０は映像や音声が記録された際に、ＡＶデータを記録するためのライトのコマンドが伝達されたことで、電子ペーパー表示が無効な表示になっている。無効な表示とは、例えば図４（ｂ）に示すように、タイムコードの値が数値以外の文字や記号で表現され、タイムコードの値が無効であることを意味する表示である。
【００６２】
しかし、映像や音声の記録後に、図３のホスト機器３００のＣＰＵ手段３１０が、タイムコードの値を電子ペーパーに表示させるコマンドをメモリカード３７０に伝達したことで、最後に記録された映像や音声の最終フレームのタイムコードが、図４（ｄ）に示すように、電子ペーパーに表示される。
【００６３】
この状態で、図３のホスト機器３００からメモリカード３７０を取り外すと、電子ペーパーには最後に記録された映像や音声の最終フレームのタイムコードが表示されている。ユーザはメモリカード３７０に表示されたタイムコードを見て、どの位置まで映像や音声が記録されているかを知ることができる。
【００６４】
次に、メモリカード３７０に記録された映像や音声のファイルを削除した場合について説明する。ユーザがホスト機器３００を操作して、メモリカード３７０の映像や音声のファイルを削除すると、ＣＰＵ手段３１０はファイルシステムの管理情報を更新するために、メモリカード３７０に対してライトまたはイレーズなどのコマンドを発行する。これによって、メモリカード３７０の電子ペーパー表示は、一時的に無効な表示になる。
【００６５】
しかし、ＣＰＵ手段３１０はファイル削除後にメモリカード３７０に残ったファイルの中から、最後に記録されたファイルとなる映像や音声のファイルを調べ、その最終フレームのタイムコードをファイルから読み出す。そしてＣＰＵ手段３１０は、読み出したタイムコードの値を電子ペーパーに表示させるコマンドと供にメモリカード３７０に伝達する。
【００６６】
これによって、メモリカード３７０の電子ペーパーには、ファイル削除後にメモリカード内に残ったファイルの中で、最後に記録された映像や音声の最終フレームのタイムコードに表示が更新される。
【００６７】
この状態で、ホスト機器３００からメモリカード３７０を取り外すと、電子ペーパーにはファイル削除後に残ったファイルの中で、最後に記録された映像や音声のタイムコードが表示されており、ユーザに正しい情報が提供される。
【００６８】
なお、ホスト機器３００がメモリカード３７０をフォーマットする機能、すなわち、ファイルシステムの管理情報を初期化する機能を有する場合、フォーマット処理の際にＣＰＵ手段３１０は、ファイルシステムの管理情報を更新するために、メモリカード３７０に対してライトまたはイレーズなどのコマンドを発行する。
【００６９】
これによって、メモリカード３７０の電子ペーパー表示は、一時的に無効な表示になる。しかし、フォーマット処理後に、ＣＰＵ手段３１０は、電子ペーパーにタイムコードの値として、時：分：秒：フレーム＝００時：００分：００秒：００フレームという値を表示させても良い。これによって、フォーマット直後の未記録のメモリカードは、図４（ａ）の表示に示すように、タイムコードがオールゼロの表示になり、ユーザはメモリカードが未記録の状態であることが分かる。
【００７０】
メモリカードがフォーマット後の未記録状態であることを示す方法はこの表示方法に限らず、タイムコードの欄にアルファベットや記号など、タイムコードの数字ではない表示をすることで表現しても良い。
【００７１】
タイムコードの他に、空き容量や最終更新日時を表示するメモリカードの場合も同様に、本来の表現とは区別できる表示を行うことで、ユーザはメモリカードがフォーマット後の未記録状態であることが分かる。
【００７２】
なお、ホスト機器３００がメモリカード３７０に映像や音声を記録した際に、カード容量を使い切り、これ以上の映像や音声を記録できないフル記録状態になった場合は、前述のように、最後に記録された映像や音声の最終フレームのタイムコードを、メモリカードの電子ペーパーに表示させるだけでなく、図４（ｃ）に示すように、タイムコードの表示を反転表示にしても良い。これによって、ユーザは最後に記録された映像や音声のタイムコードが分かるだけでなく、メモリカードがフル記録状態であることも分かる。
【００７３】
なお、図３のタイムコード生成手段３４０は、ＳＭＰＴＥタイムコードの例で説明したが、一般的な年月日時分秒をあらわすタイムコードでも良い。これに合わせて、メモリカードの電子ペーパーには、最後に映像や音声が記録された終了日時を一般的な年月日時分秒として表示しても良い。
【産業上の利用可能性】
【００７４】
以上のように、本発明にかかる情報記録媒体および情報記録装置は、電子ペーパーなどの表示手段を備えたリムーバブルな記録媒体に利用され、さらに、表示手段に正しい情報を表示させる情報記録装置に利用される。
【符号の説明】
【００７５】
１００  メモリカード
１１０  インタフェース手段
１２０  コマンド解釈手段
１３０  メモリ制御手段
１４０  メモリ手段
１５０  表示制御手段
１６０  電子ペーパー手段
２００、３００  ホスト機器
２１０、３１０  ＣＰＵ手段
２２０、３２０  バス手段
２３０、３３０  メディアインタフェース手段
２５０、３５０  ＡＶ信号処理手段
２６０、３６０  ＡＶ信号入出力手段
２７０、３７０  メモリカード
３４０  タイムコード生成手段
【図１】
2011145738.tif 000003
【図２】
2011145738.tif 000004
【図３】
2011145738.tif 000005
【図４】
2011145738.tif 000006